(57)【要約】【課題】  種々の耐久性を向上させることができ、建築材料として用いて好適な木製集成材を提供することを課題とする。【解決手段】  複数の曳き材３を揃えて接着剤にて接着して集成した木製集成材２の外表面に樹脂製被覆材４を貼着して被覆し樹脂製被覆材貼着木製集成材１を構成する。木製集成材２の外形は曳き材３の繊維方向の寸法を長さ寸法Ｌとする直方体とし、外表面の表面、裏面、側面の少なくともいずれかを樹脂製被覆材４を貼着して被覆する。木製集成材の外形寸法は厚さ寸法が９０ミリメートル以上、幅寸法が９００ミリメートル以下、長さ寸法が５０００ミリメートル以下の各諸元の少なくともいずれかを含むものとする。【選択図】図１
0003204382.tif 000002
【実用新案登録請求の範囲】
【請求項１】
木製集成材の外表面に樹脂製被覆材を貼着した樹脂製被覆材貼着木製集成材。
【請求項２】
樹脂製被覆材を貼着した木製集成材の外表面は、表面、裏面、側面の少なくともいずれかを含む請求項１に記載の樹脂製被覆材貼着木製集成材。
【請求項３】
木製集成材の外形寸法は、厚さ寸法が９０ミリメートル以上、幅寸法が９００ミリメートル以下、長さ寸法が５０００ミリメートル以下、の各諸元の少なくともいずれかを含むものである請求項１または請求項２のいずれかに記載の樹脂製被覆材貼着木製集成材。
【考案の詳細な説明】
【技術分野】
【０００１】  本考案は、木材を集成した木製集成材の外表面に樹脂製被覆材を貼着した樹脂製被覆材貼着木製集成材に関するものである。
より詳しくは、主に建築材料として用いられる木製の集成材について、その外表面を樹脂製の被覆材を貼着して被覆することにより、種々の耐久性を向上させることができる木製集成材の構成に関するものである。
【背景技術】
【０００２】  主に建築材料として用いられる木製の集成材は、複数の曳き材（ラミナ）を接着剤にて接着して集成したものであり、木質の風合いや感触の優しさなどが好まれ、近年その需要が増加している。無垢材では高価となったり製作不可能な大容積や広い面積の木製材料を比較的細い樹木からも安価に製造できることから、重宝な木製素材として多用されるようになってきている。また、厚板とした場合には表面が焼けても火が通らず炎が裏面に抜けることがないため、準耐火認定を得て大型建築や公共建築での外壁材として使用することも可能となっている。【０００３】  曳き材の樹種としては、スギ、カラマツ、ヒノキ、アカマツなどのほかにも様々な樹木が使用される。木製集成材の製造に際しては、比較的細い樹木も利用できることもあり、森林資源の活用、特に国産材の利用促進や環境対策としての二酸化炭素の大量固定という観点からも注目されてきている。【０００４】  このような木製集成材を建築材料として用いるには、火災に対する耐火性のほかにも、種々の耐久性が求められる。太陽光、特に紫外線による変色や劣化、雨や湿度変化など水分による劣化、主に伸縮に起因するヒビや割れなどの劣化、カビや白アリなどによる劣化など、様々な劣化に対する耐久性が要求される。【０００５】  従来、これらの要求に対しては、耐候用、耐水用、防腐用、防蟻用など各種の木材保護塗料を塗布する対応策が施されている。しかしながら、塗装の寿命は凡そ５年から６年程度と比較的短いことから、少なくとも１０年以内に再塗装やメンテナンスを行なう必要があり、その費用や手間が相応に掛かるものであった。
【考案の概要】
【考案が解決しようとする課題】
【０００６】  本考案は、上述したような現状に鑑みて成されたものであり、種々の耐久性を向上させることができ、建築材料として用いて好適な木製集成材を提供することを課題とするものである。
【課題を解決するための手段】
【０００７】  上記のような課題を解決するために、本考案の樹脂製被覆材貼着木製集成材は、木製集成材の外表面に樹脂製被覆材を貼着して被覆したものである。また、樹脂製被覆材を貼着して被覆した木製集成材の外表面は、表面（おもてめん）、裏面（うらめん）、側面（そくめん）の少なくともいずれかを含むものである。更に、木製集成材の外形寸法は、厚さ寸法が９０ミリメートル以上、幅寸法が９００ミリメートル以下、長さ寸法が５０００ミリメートル以下、の各諸元の少なくともいずれかを含むものである。
尚、以上および以下の記述において、表面（おもてめん）とは長さ寸法×幅寸法の面積を有する一方側の外表面を意味し、裏面（うらめん）とは長さ寸法×幅寸法の面積を有する他方側の外表面を意味し、側面（そくめん）とは厚さ寸法×長さ寸法の面積または厚さ寸法×幅寸法の面積を有する各外表面をそれぞれ意味する用語として用いるものである。また、長さ寸法とは曳き材の繊維方向の寸法を意味し、幅寸法とは複数の曳き材の繊維方向に対し直角方向の合計寸法を意味し、厚さ寸法とは長さ寸法および幅寸法に対し直角方向の寸法をそれぞれ意味する用語として用いるものである。
【考案の効果】
【０００８】  本考案の樹脂製被覆材貼着木製集成材は、このような構成としたことにより種々の耐久性を向上させることができるものである。樹脂製被覆材を貼着して被覆することにより、太陽光、特に紫外線を反射または吸収して変色や劣化を防ぐことができる。また、外部からの水分の侵入を防ぐと共に内部からの水分の発散を防ぎ、木材の含水率を一定に保つことができる。木材は含水率の変化に伴い伸縮するものであり、この伸縮により湾曲が生じたりヒビや割れなどが生じ易くなるが、含水率を一定に保つことにより、このような劣化を防止することができる。更に、湿気を好む性質のある雑菌の侵入や繁殖を防ぎ、カビの発生や腐敗を防止することができ、白アリなどの害虫の侵入や繁殖を防ぐこともできる。
このように木材には様々な劣化があり、特に、この劣化により耐火性能が低下する問題があるが、本考案の樹脂製被覆材貼着木製集成材は、様々な劣化を防止することができ、耐火性能を永く維持することが可能となるものである。
また更に、このように様々な劣化を防止することができることにより、木材の持つ風合いや美観を永く維持することができると共に、メンテナンス期間を大幅に延長することが可能となるものである。
【図面の簡単な説明】
【０００９】
【図１】  本考案の実施例を示す斜視図である。
【図２】  図１に示す実施例の断面図である。
【図３】  本考案の他の実施例を示す断面図である。
【図４】  本考案の別の実施例を示す断面図である。
【図５】  本考案の更に別の実施例を示す断面図である。
【考案を実施するための最良の形態】
【００１０】
【実施例】
【００１１】  本考案の実施例を以下、図面に基づいて説明する。尚、各図において共通する部分には同一の符号を付し重複する説明は省略する。
図１および図２は本考案の樹脂製被覆材貼着木製集成材１を示すものであり、複数の曳き材３を揃えて接着剤にて接着して集成した木製集成材２の表面と側面の一部に樹脂製被覆材４を貼着して被覆したものである。木製集成材２の外形は曳き材３の繊維方向の寸法を長さ寸法Ｌとする直方体としている。各曳き材３の断面寸法は原材料となる樹木の多様な太さに対応して種々に設定することができる。
樹脂製被覆材４は耐候性タイプの塩化ビニルシートをはじめ種々の樹脂製シートを使用することができ、透明あるいは有色とすることも可能である。接着剤は水性高分子イソシアネート系木材接着剤（ＪＩＳ  Ｋ  ６８０６）、レゾルシノール樹脂系木材接着剤、酢酸ビニール系接着剤、水性ビニールウレタン系接着剤など種々の接着剤を使用することができる。【００１２】  図３は本考案の他の実施例を示す断面図であり、木製集成材２の表面および側面の全部に樹脂製被覆材４を貼着して被覆し構成した樹脂製被覆材貼着木製集成材５である。
このような構成とすることにより、樹脂製被覆材貼着木製集成材５を建築材料の外壁材として用いる場合に、建築物の外面および外方向に対する耐久性を高めることができる。【００１３】  図４は本考案の別の実施例を示す断面図であり、木製集成材２の表面、側面の全部、裏面に樹脂製被覆材４を貼着して被覆し構成した樹脂製被覆材貼着木製集成材６である。
このような構成とすることにより、樹脂製被覆材貼着木製集成材６を建築材料の内外壁材として用いる場合に、建築物の外面および外方向と内面に対する耐久性を高めることができ、特に優れた劣化防止性能を得ることができる。【００１４】  本考案の樹脂製被覆材貼着木製集成材は特に建築材料の壁材として用いて好適である。一般に建築材料の壁材については、特に耐火性能が重要となる。木製集成材の耐火性能は厚さ寸法Ｔが大きい程高くなるが、建築物の居住性、意匠性、断熱性、防音性、更には機械的強度や他の建築材料との接続その他の条件や関係もあり、これらに総じて適する程度の厚さ寸法Ｔとする必要がある。本考案の樹脂製被覆材貼着木製集成材は、様々な劣化を防止して耐火性能を含む諸性能を永く維持できるため、予め劣化を見込んで厚さ寸法Ｔを余分に大きく設定する必要がなく、必要十分な程度の耐火性能を含む諸性能が得られる厚さ寸法Ｔそのものに設定することができる。この厚さ寸法Ｔは、曳き材３の木材の性質、樹脂製被覆材４や接着剤の種類や性能、それらの経年変化および上記の諸性能などを経験則に基づき勘案すると、凡そ９０ミリメートル以上とすることが好適であるとの知見を得て、これを下限の目安として種々の設計に対応することが好ましい。【００１５】  また、木製集成材は主に含水率の変化に伴ない伸縮するものであり、繊維方向に直角な方向の伸縮が比較的大きいが、樹脂製被覆材４は主に温度の変化に伴い全方向に伸縮するものである。この伸縮の違いにより樹脂製被覆材４に皺やヒビが生じる懸念があるが、曳き材３の木材の性質、樹脂製被覆材４や接着剤の種類や性能、それらの経年変化などを経験則に基づき勘案すると、樹脂製被覆材貼着木製集成材の幅寸法Ｗは凡そ９００ミリメートル以下とすることが好適であるとの知見を得て、これを上限の目安として種々の設計に対応することが好ましい。
一方、木製集成材の伸縮は繊維方向では比較的小さいものであり、上記同様に曳き材３の木材の性質、樹脂製被覆材４や接着剤の種類や性能、それらの経年変化などを経験則に基づき勘案すると、樹脂製被覆材貼着木製集成材の長さ寸法Ｌは凡そ５０００ミリメートル以下とすることが好適であるとの知見を得て、これを上限の目安として種々の設計に対応することが好ましい。【００１６】  尚、上記の各実施例においては樹脂製被覆材貼着木製集成材の外形を直方体としたが、これらの例に限らず様々な形状、更には曲面や斜面を含む形状とすることも可能である。また、曳き材３の年輪が表われる端面である小口（こぐち）は特に水分や雑菌などが侵入し易い部分であり、この部分を含む外表面に樹脂製被覆材を貼着して被覆した場合には、劣化防止の効果において絶大なものがある。
また、上記の各実施例は複数の曳き材３を一定方向に揃えて単層構造とした木製集成材２を例としたが、これらの例に限らず、図５に示すように複層構造とし、隣接する各層の曳き材７の繊維方向を互いに直角など異なる方向とした木製集成材８を用いて樹脂製被覆材貼着木製集成材９を構成することも可能である。このような構造とした場合には、機械的強度が高まると共に、幅方向の伸縮が隣接する層により抑制されることから、より広い幅寸法とすることができる。【００１７】
【産業上の利用可能性】
【００１８】  本考案の樹脂製被覆材貼着木製集成材は、以上の説明の如き内容のものであり、種々の耐久性を向上させることができ、建築材料として用いて好適なものである。
必要十分な耐火性能を有し木質の風合いや美観も備えており、壁材に限らず床材や天井材あるいは装飾材として用いることも好ましいものである。
比較的細い樹木も利用でき森林資源の活用、特に国産材の利用促進や環境対策としての二酸化炭素の大量固定にも貢献して有益なものである。
【符号の説明】  １、５、６、９    …  樹脂製被覆材貼着木製集成材
２、８            …  木製集成材
３、７            …  曳き材
４                …  樹脂製被覆材
Ｌ                …  長さ寸法
Ｔ                …  厚さ寸法
Ｗ                …  幅寸法
【図１】
0003204382.tif 000003
【図２】
0003204382.tif 000004
【図３】
0003204382.tif 000005
【図４】
0003204382.tif 000006
【図５】
0003204382.tif 000007